(57)【要約】【課題】レシーバから異音が発生することなく、冷媒回路を循環する冷媒量を最適な冷媒量に調整できるようにする。【解決手段】圧縮機１、凝縮器２、高圧側絞り装置３、低圧側絞り装置４、蒸発器５を配管により接続して冷媒回路が形成される。冷媒回路に、冷媒を溜めるレシーバ６が設けられる。レシーバ６は１つの出入口７を備え、高圧側絞り装置３と低圧側絞り装置４とをつなぐ接続配管８から分岐した連結管９がレシーバ６の出入口７に接続される。レシーバ６は、接続配管８の上方に位置し、連結管９は上方に向かって延びる。【選択図】図１
2014119146.tif 000002
【特許請求の範囲】
【請求項１】
圧縮機、凝縮器、高圧側絞り装置、低圧側絞り装置、蒸発器を配管により接続して冷媒回路が形成され、冷媒回路に、冷媒を溜めるレシーバが設けられ、レシーバは１つの出入口を備え、高圧側絞り装置と低圧側絞り装置とをつなぐ接続配管から分岐した連結管がレシーバの出入口に接続されたことを特徴とする空気調和機。
【請求項２】
前記高圧側絞り装置および前記低圧側絞り装置を制御する制御装置が設けられ、制御装置は、レシーバに冷媒を溜めるとき、高圧側絞り装置を通る冷媒量が低圧側絞り装置を通る冷媒量よりも多くなるように、高圧側絞り装置および低圧側絞り装置を動作させ、レシーバに溜まっている冷媒を減らすとき、低圧側絞り装置を通る冷媒量が高圧側絞り装置を通る冷媒量よりも多くなるように、高圧側絞り装置および低圧側絞り装置を動作させることを特徴とする請求項１記載の空気調和機。
【請求項３】
制御装置は、起動時、冷媒回路を循環する冷媒を増やすために、低圧側絞り装置を通る冷媒量を多くし、高圧側絞り装置と低圧側絞り装置との間を液冷媒が通るように、高圧側絞り装置を動作させることを特徴とする請求項１または２記載の空気調和機。
【請求項４】
連結管は接続配管の上方に位置し、連結管と接続配管とがＹ形に接続されたことを特徴とする請求項１〜３のいずれかに記載の空気調和機。
【請求項５】
圧縮機および室外熱交換器を内装した室外機に、レシーバが設けられ、レシーバは室外熱交換器の圧縮機側の近傍に固定されたことを特徴とする請求項１〜４のいずれかに記載の空気調和機。
【発明の詳細な説明】
【技術分野】
【０００１】
本発明は、冷媒を溜めるレシーバを利用して、冷媒回路を流れる冷媒量を調整する空気調和機に関する。
【背景技術】
【０００２】
空気調和機において、圧縮機、四方弁、凝縮器、絞り装置、蒸発器が順に配管により接続され、冷媒が冷媒回路を循環する冷凍サイクルが形成される。特許文献１に記載された空気調和機では、凝縮器と蒸発器との間に、冷媒を溜めるレシーバが設けられ、レシーバの前後に高圧側絞り装置と低圧側絞り装置とが接続される。冷媒の状態量が目標値になるように、各絞り装置の開口面積が制御され、冷凍サイクルを最適に維持する運転が行われる。
【０００３】
上記の空気調和機において、凝縮器で凝縮された冷媒は、高圧側絞り装置で減圧されて、レシーバに流入する。そして、レシーバから排出された冷媒は低圧側絞り装置で減圧されて、蒸発器へ供給される。
【先行技術文献】
【特許文献】
【０００４】
【特許文献１】特開平１０−８９７８０号公報
【発明の概要】
【発明が解決しようとする課題】
【０００５】
上記の空気調和機のレシーバには、出入口が２つあり、レシーバは冷媒回路中に設けられているので、一方が入口となり、他方が出口となって、冷媒は必ずレシーバを通る。そして、レシーバには、冷媒が溜まっている。ここで、最適な冷媒量となるように、冷媒回路を循環する冷媒量を調整するために、高圧側絞り装置が絞られると、絞り装置の出口側の圧力が下がり、冷媒は気液二相の状態となる。レシーバの入口から気液二相の冷媒が流入する。このとき、レシーバ内の液面にガスが浮かび上がって、異音が発生する。
【０００６】
本発明は、上記に鑑み、レシーバから異音が発生することなく、冷媒回路を循環する冷媒量を最適な冷媒量に調整することができる空気調和機の提供を目的とする。
【課題を解決するための手段】
【０００７】
本発明は、圧縮機、凝縮器、高圧側絞り装置、低圧側絞り装置、蒸発器を配管により接続して冷媒回路が形成され、冷媒回路に、冷媒を溜めるレシーバが設けられたものである。レシーバは１つの出入口を備え、高圧側絞り装置と低圧側絞り装置とをつなぐ接続配管から分岐した連結管がレシーバの出入口に接続される。
【０００８】
レシーバの出入口が１つであるので、冷媒がレシーバに流れ込みにくくなり、勢いよく冷媒がレシーバに流入することを防ぐことができ、冷媒がレシーバに流れ込んだときに発生する異音を抑制することができる。
【０００９】
そして、前記高圧側絞り装置および前記低圧側絞り装置を制御する制御装置が設けられ、制御装置は、レシーバに冷媒を溜めるとき、高圧側絞り装置を通る冷媒量が低圧側絞り装置を通る冷媒量よりも多くなるように、高圧側絞り装置および低圧側絞り装置を動作させ、レシーバに溜まっている冷媒を減らすとき、低圧側絞り装置を通る冷媒量が高圧側絞り装置を通る冷媒量よりも多くなるように、高圧側絞り装置および低圧側絞り装置を動作させるようにしてもよい。高圧側絞り装置および低圧側絞り装置の動作により、両絞り装置の間の冷媒量を増減でき、冷媒回路を循環する冷媒量を調整することが可能となる。
【００１０】
制御装置は、起動時、冷媒回路を循環する冷媒を増やすために、低圧側絞り装置を通る冷媒量を多くし、高圧側絞り装置と低圧側絞り装置との間を液冷媒が通るように、高圧側絞り装置を動作させるようにしてもよい。低圧側絞り装置を通過する冷媒量を高圧側絞り装置を通過する冷媒量より多くしながら、高圧側絞り装置を通過する冷媒量をさらに増やすことにより、連結管に液冷媒が流れるようになる。ガス冷媒がレシーバに流れ込まなくなるので、異音が発生することはない。
【００１１】
連結管は接続配管の上方に位置し、連結管と接続配管とがＹ形に接続されるようにしてもよい。連結管と接続配管とが傾斜して接続されることにより、接続配管から連結管に、あるいは連結管から接続配管に冷媒がスムーズに流れる。冷媒回路を循環する冷媒量の調整をすばやく行える。また、レシーバが接続配管よりも上方に位置することにより、圧縮機潤滑用オイルがレシーバに溜まることを防げる。
【００１２】
圧縮機および室外熱交換器を内装した室外機に、レシーバが設けられ、レシーバは室外熱交換器の圧縮機側の近傍に固定されるようにしてもよい。室外熱交換器と圧縮機とを接続する配管は冷媒回路の他の配管よりも大径とされる。このような配管にレシーバを固定することにより、レシーバの振動を防止でき、異音の発生を抑制できる。
【発明の効果】
【００１３】
本発明によると、１つの出入口を有するレシーバを２つの絞り装置の間の配管に接続することにより、冷媒がレシーバに流入するときに発生する異音を抑制しながら、冷媒回路を循環する冷媒量を調整することができる。
【図面の簡単な説明】
【００１４】
【図１】本発明の空気調和機の冷媒回路を示す図
【図２】冷房運転時の冷凍サイクルを示す図
【図３】暖房運転時の冷凍サイクルを示す図
【図４】室外機におけるレシーバの配置図
【図５】（ａ）室外機の内部平面図、（ｂ）室外機の内部斜視図、（ｃ）室外機の内部斜視図、（ｄ）室外機の内部正面図、（ｅ）室外機の内部側面図
【図６】空気調和機の制御ブロック図
【図７】連結管と接続配管との接続形態を示す図
【図８】室外機におけるレシーバの配置図
【発明を実施するための形態】
【００１５】
本実施形態の空気調和機は、図１に示すように、圧縮機１、凝縮器２、高圧側絞り装置３、低圧側絞り装置４、蒸発器５を配管で接続した冷媒回路を備えている。冷媒の流れ方向に沿って、上流側から順に圧縮機１、凝縮器２、高圧側絞り装置３、低圧側絞り装置４、蒸発器５が配置される。
【００１６】
冷媒回路を流れる冷媒の流量を調整するために、冷媒回路に、冷媒を溜めるレシーバ６が設けられる。レシーバ６は、１つの出入口７を備えている。レシーバ６は、高圧側絞り装置３と低圧側絞り装置４との間に介装される。高圧側絞り装置３と低圧側絞り装置４とをつなぐ接続配管８から分岐した連結管９が設けられる。連結管９が、レシーバ６の出入口７に接続される。高圧側および低圧側絞り装置３，４は、冷媒の流量または圧力を調整する膨張弁とされる。なお、絞り装置として、複数のキャピラリチューブを並べて、流路を切り替えるものであってもよい。
【００１７】
本空気調和機は、室内機１０と室外機１１とからなるセパレートタイプである。空気調和機は、冷房運転、暖房運転などの空調運転を行う。図２に示すように、冷媒回路に四方弁１２が設けられる。室内機１０に、室内熱交換器１３が配され、室外機１１に、圧縮機１、四方弁１２、室外熱交換器１４、第１絞り装置１５、第２絞り装置１６およびレシーバ６が配される。各熱交換器１３，１４に対して、それぞれ送風機が設けられる。なお、図中、１７は冷媒の充填時などに使用する二方弁、１８は同じく三方弁、１９はバイパス配管用の二方弁である。
【００１８】
圧縮機１から吐出された冷媒が、空調運転に応じて四方弁１２により流れ方向を切り替えられ、冷媒が凝縮器２、高圧側絞り装置３、低圧側絞り装置４、蒸発器５を経て圧縮機１に戻る。このように冷媒が冷媒回路を循環する冷凍サイクルが形成される。図２に示すように、冷房運転あるいは除霜運転のとき、室内熱交換器１３が蒸発器となり、室外熱交換器１４が凝縮器となる。第１絞り装置１５が高圧側絞り装置となり、第２絞り装置１６が低圧側絞り装置となる。暖房運転のときには、室内熱交換器１３が凝縮器となり、室外熱交換器１４が蒸発器となる。第２絞り装置１６が高圧側絞り装置となり、第１絞り装置１５が低圧側絞り装置となる。
【００１９】
図３に示すように、レシーバ６は、円筒状の容器である。レシーバ６は、接続配管８および各絞り装置３，４よりも上方に位置する。連結管９は、接続配管８よりも小径とされ、接続配管８の分岐部Ａから上方に延びるように設けられる。連結管９の上部がレシーバ６に接続され、下部が接続配管８に接続される。連結管９と接続配管８とは逆Ｔ形に接続された構造となる。
【００２０】
レシーバ６の底面に出入口７が形成され、連結管９の上端が出入口７からレシーバ６内に挿入される。レシーバ６の出入口７は下向きとされ、連結管９は上向きに配置される。連結管９のレシーバ６内に位置する上部に、孔が形成され、レシーバ６の底に溜まった潤滑用オイルが孔を通じて冷媒回路に戻される。なお、連結管９の上端がレシーバ６の底面に接続された構造にしてもよい。
【００２１】
室外機１１に設けられたレシーバ６は、室外熱交換器１４の近傍に配置される。図４、５に示すように、室外機１１の左右方向の一側、ここでは右側に圧縮機１が配置され、室外熱交換器１４が背面に沿って配置される。室外機１１では、遮蔽板３０により圧縮機１が収容される機械室３３と、室外熱交換器１４および送風機３２が収容される熱交換室３１とに区画される。レシーバ６は、機械室３３の背面側に設置され、室外熱交換器１４の左右方向の一側、すなわち圧縮機１側の近傍に位置する。
【００２２】
室外熱交換器１４の一側には、圧縮機１からの大径の配管３４が接続されるとともに、第１絞り装置１５につながる配管が接続される。機械室３３の背面側には、これらの配管だけでなく、各絞り装置１５，１６および接続配管８も配置される。したがって、連結管９を短くできる。しかも、レシーバ６が室外機１１の背面側に配置されるので、太陽熱の影響を受けにくく、レシーバ６が高温になりにくい。
【００２３】
そして、レシーバ６は圧縮機１からの大径の配管３４に固定される。固定方法として、レシーバ６が配管３４にろう付けされる、あるいはバンドなどの結束部材によりレシーバ６が固定される。大径の配管３４は、冷房運転時における室外熱交換器１４の入口に接続される。室外熱交換器１４の入口近傍の配管３４では、高温高圧のガス冷媒が安定した状態で流れるため、振動が少ない。この配管３４にレシーバ６を固定することにより、レシーバ６の振動を抑制することができ、冷媒がレシーバ６に出入りする際の騒音をなくすことができる。
【００２４】
図６に示すように、空気調和機は、冷凍サイクルを制御して、空調運転を制御する制御装置２０を備えている。空気調和機には、凝縮器２の温度を検出する凝縮器温度センサ２１、蒸発器５の温度を検出する蒸発器温度センサ２２、圧縮機１から吐出された冷媒の吐出温度を検出する吐出温度センサ２３、室温センサ２４、外気温センサ２５が設けられる。制御装置２０は、所望の空調運転に応じて、これらの温度センサの出力に基づき、圧縮機１、送風機２６、高圧側および低圧側絞り装置の動作を制御して、冷凍サイクルを制御する。
【００２５】
なお、制御装置２０は、室内機１０に設けられた室内制御部と、室外機１１に設けられた室外制御部とから構成される。室内制御部と室外制御部とは互いに通信可能に接続され、両者が連携して室内機１０および室外機１１の動作を制御する。
【００２６】
高圧側絞り装置３および低圧側絞り装置４は同じタイプの絞り装置とされる。例えば絞り装置として膨張弁を使用したとき、０〜５００段階の間で開度を可変でき、開度に応じた開口面積となり、通過する冷媒量を可変できる。したがって、各絞り装置３，４の開度の大小は絞り装置３，４を通過する冷媒量の大小に対応する。開度が大きくなるほど、通過する冷媒量は増える。
【００２７】
空調運転が行われるとき、制御装置２０は、室温が設定温度になるように冷凍サイクルを制御する。このとき、制御装置２０は、空調運転に応じて冷媒回路を循環する冷媒量が最適になるように調整する。冷媒回路に充填された冷媒の一部は、レシーバ６に溜められ、残りの冷媒が冷媒回路を循環する。循環する冷媒量のうち、ＣＯＰが最大となるときの冷媒量が最適冷媒量される。最適冷媒量は、冷房運転あるいは暖房運転によって異なり、さらに圧縮機１の回転数、外気温、室温によっても異なる。
【００２８】
空調運転が開始すると、制御装置２０は、設定温度と室温とに基づいて圧縮機１の目標回転数を設定し、目標回転数に応じて高圧側および低圧側絞り装置３，４の開度を決める。制御装置２０は、決められた運転条件にしたがって圧縮機１、各絞り装置３，４、送風機２６などを制御する。また、制御装置２０は、目標回転数および空調運転の種類（冷房運転、暖房運転など）に応じて高圧側および低圧側絞り装置３，４の初期開度を決める。
【００２９】
空気調和機が停止しているとき、高圧側および低圧側絞り装置３，４は、全開されている。空調運転が開始すると、制御装置２０は、各絞り装置３，４のイニシャライズを行う。すなわち、各絞り装置３，４が一旦全閉された後、各絞り装置３，４はそれぞれ初期開度まで開かれる。この後、圧縮機１が起動され、冷媒が冷媒回路を循環する。
【００３０】
ここで、空調運転の起動時に、制御装置２０は、低圧側絞り装置４の開度が高圧側絞り装置３の開度よりも大きくなるように、各絞り装置３，４を動作させる。これによって、冷媒回路を循環する冷媒が増えることにより、凝縮器２の出口側の過冷却が大きくなって、空調能力を高めることができる。暖房運転の場合、運転開始からより温度の高い温風を吹き出すことができる。
【００３１】
このとき、制御装置２０は、高圧側絞り装置３と低圧側絞り装置４との間を液冷媒が通るように、高圧側絞り装置３を動作させる。すなわち、制御装置２０は、凝縮器温度センサ２１によって検出された凝縮器２の出口側の冷媒温度に応じて、高圧側絞り装置３を開けていく。ただし、低圧側絞り装置４を通過する冷媒量が高圧側絞り装置３を通過する冷媒量よりも多くなるように、低圧側絞り装置４の開度は高圧側絞り装置３の開度よりも大とされる。
【００３２】
高圧側絞り装置３の開度を大きくしていくことにより、高圧側絞り装置３を通過する凝縮器２からの液冷媒が増える。液冷媒が接続配管８を通過し、連結管９は液冷媒で満たされる。そのため、レシーバ６にガス冷媒が流入することがなくなり、レシーバ６から異音が発生することはない。
【００３３】
制御装置２０は、冷凍サイクルが安定したとき、最適冷媒量となるように冷媒量調整制御を行う。冷媒量調整制御では、空調運転の種類、吐出温度、圧縮機の回転数、外気温などの運転状況に応じて、各絞り装置３，４の開度が設定される。一般的に、室外熱交換器１４の容量は室内熱交換器１３の容量よりも大である。そのため、冷房運転時には、より多くの冷媒が必要となる。したがって、冷房運転時の最適冷媒量は暖房運転時の最適冷媒量よりも多くなる。
【００３４】
冷凍サイクルの安定の判断は、圧縮機１から吐出される冷媒の温度によって行われる。制御装置２０は、吐出温度センサ２３の出力に基づいて吐出温度の変化を監視する。吐出温度の変化が小さくなったとき、制御装置２０は、吐出温度が安定したことを認識し、冷凍サイクルが安定したと判断する。
【００３５】
制御装置２０は、冷媒量調整制御を行うとき、現在の運転状況に基づいて高圧側および低圧側絞り装置３，４の開度を決め、決められた開度になるように各絞り装置３，４を制御する。なお、運転状況に応じた各絞り装置３，４の開度は、実験等により予め決められ、メモリに記憶されている。制御装置２０は、空調運転中、現在の運転状況に応じた各絞り装置３，４の開度をメモリから読み出し、読み出した開度に応じて各絞り装置３，４を動作させる。
【００３６】
冷房運転が行われるとき、制御装置２０は、低圧側絞り装置４を通過する冷媒量が高圧側絞り装置３を通過する冷媒量より多くなるように、各絞り装置３，４を動作させる。すなわち、高圧側絞り装置３の開度を小さくし、低圧側絞り装置４の開度を大きくする。レシーバ６に溜まっている冷媒が冷媒回路に流出し、冷媒回路を循環する冷媒量が増える。
【００３７】
外気温の変化や圧縮機１の回転数の変化などに応じて、冷房運転中に冷媒回路を循環する冷媒量を減らす場合、制御装置２０は、低圧側絞り装置４の開度を小さくし、高圧側絞り装置３の開度を大きくする。高圧側絞り装置３を通過する冷媒量が低圧側絞り装置４を通過する冷媒量より多くなって、冷媒が連結管９に流れ込み、レシーバ６に冷媒が流入して、レシーバ６に冷媒が溜まる。
【００３８】
暖房運転が行われるとき、制御装置２０は、高圧側絞り装置３を通過する冷媒量が低圧側絞り装置４を通過する冷媒量より多くなるように、各絞り装置３，４を動作させる。すなわち、低圧側絞り装置４の開度を小さくし、高圧側絞り装置３の開度を大きくする。レシーバ６に溜まる冷媒が増えていき、冷媒回路を循環する冷媒量が減る。
【００３９】
外気温の変化や圧縮機１の回転数の変化などに応じて、暖房運転中に冷媒回路を循環する冷媒量を増やす場合、制御装置２０は、高圧側絞り装置３の開度を小さくし、低圧側絞り装置４の開度を大きくする。低圧側絞り装置４を通過する冷媒量が高圧側絞り装置３を通過する冷媒量より多くなって、レシーバ６に溜まっている冷媒が連結管９に流れ出し、冷媒回路を循環する冷媒量が増える。
【００４０】
空調運転が停止されるとき、制御装置２０は、圧縮機１を停止させるとともに、高圧側および低圧側絞り装置３，４が全開になるように、各絞り装置３，４を動作させる。運転が停止することにより、レシーバ６に対して冷媒の出入りがなくなり、レシーバ６には冷媒が溜まった状態となる。外気温が上昇して、レシーバ６の温度が高くなると、レシーバ６内の冷媒が液膨張したり、ガス化したりする。レシーバ６内の液冷媒が連結管９から接続配管８に押し出され、レシーバ６内の冷媒が減る。これによって、レシーバ６の内圧が高くなって、レシーバ６あるいは連結管９から冷媒が漏れることを防止できる。
【００４１】
空調運転として、自動運転が行われる場合、室温と設定温度との高低差によって冷房運転と暖房運転とが切り替えられる。制御装置２０は、運転を切り替えるとき、圧縮機１を一旦停止させ、四方弁１２を切り替えて、圧縮機１を再起動する。このとき、制御装置２０は、高圧側および低圧側絞り装置３，４のイニシャライズを行う。すなわち、高圧側および低圧側絞り装置３，４は、圧縮機１の停止時に全開された後、圧縮機１の再起動前に全閉されてから、冷媒回路を循環する冷媒が増えるように、それぞれ所定開度にされる。
【００４２】
また、空調運転中、室温が設置温度に達すると、圧縮機１の運転が停止される。室温が変化して、室温と設定温度との差が生じると、圧縮機１が再起動される。あるいは、空調運転の停止後、すぐに運転が再開されるとき、圧縮機１が暖まった状態で圧縮機１が起動される。このような場合、圧縮機１が停止するとき、制御装置２０は、高圧側および低圧側絞り装置３，４を現状のまま停止させる。各絞り装置３，４の開度は、圧縮機１が停止したときの開度に維持される。そして、制御装置２０は、圧縮機１が起動するとき、現在の開度で各絞り装置３，４を動作させる。なお、空調運転が停止したとき、各絞り装置３，４は全開されるが、すぐに運転が再開されるときのために、制御装置２０は、一定時間経過後に各絞り装置３，４を全開するように動作させる。このように各絞り装置３，４を制御することにより、すばやく最適冷媒量になるように、循環する冷媒を調整することができる。
【００４３】
自動運転において、圧縮機１を運転したまま、運転を切り替えるようにしてもよい。運転を切り替えるとき、制御装置２０は、圧縮機１を運転したまま四方弁１２を切り替え、高圧側および低圧側絞り装置３，４の開度を変えない。運転が切り替わった後、制御装置２０は、運転状況に応じて各絞り装置３，４の開度を変える。このようにすることにより、冷凍サイクルが早く安定して、すぐに最適な冷媒量に調整することができる。
【００４４】
上記のように、連結管９によりレシーバ６は接続配管８および各絞り装置３，４よりも高い位置となるような構造になっている。連結管９は接続配管８から上方に延びているので、接続配管８を流れる冷媒は連結管９に流れにくくなり、冷媒が直接レシーバ６に流れ込みにくくなる。しかも、連結管９は接続配管８より小径であるので、接続配管８から連結管９に冷媒が流れにくくなり、これによっても冷媒が直接レシーバ６に流れにくくなる。したがって、レシーバ６から異音が発生することを抑制できる。また、接続配管８を気液二相の冷媒が流れている場合、連結管９に入ったガス冷媒が浮き上がってレシーバ６に入るが、その量はわずかであるため、異音は発生しない。
【００４５】
高圧側絞り装置３を通過する冷媒量が低圧側絞り装置４を通過する冷媒量よりも多くなると、高圧側絞り装置３と低圧側絞り装置４との間の接続配管８における冷媒の圧力が高まり、レシーバ６内にある冷媒の圧力に抗して連結管９内の冷媒を押し上げ、冷媒がレシーバ６に流入する。レシーバ６に冷媒が溜まっていき、冷媒回路を循環する冷媒が減少する。
【００４６】
低圧側絞り装置４を通過する冷媒量が高圧側絞り装置３を通過する冷媒量よりも多くなると、接続配管８における冷媒の圧力が低くなる。レシーバ６内の冷媒が有する圧力および位置エネルギにより、レシーバ６内の冷媒が連結管９を通じて接続配管８に流れ出す。レシーバ６に溜まっている冷媒が排出され、冷媒回路を循環する冷媒が増える。
【００４７】
また、冷媒には潤滑用オイルが含まれている。このオイルがレシーバ６に流入して、レシーバ６の底に溜まるが、オイルはレシーバ６の底面の出入口７から連結管９を通じて接続配管８に流れ落ちる。したがって、オイルはレシーバ６に溜まらず、冷媒回路にオイルを必ず戻すことができる。
【００４８】
接続配管８と連結管９との他の接続形態を図７に示す。連結管９と接続配管８とはＹ形に接続される。図７（ａ）に示すように、冷媒の流れ方向に対して、連結管９は、接続配管８の分岐部Ａの下流側に位置し、連結管９は、接続配管８に対して下流側に向かって延びている。このような下流側に向いた横Ｙ形の接続形態では、図３のように連結管９と接続配管８とを逆Ｔ形に接続した場合に比べて、冷媒が接続配管８から連結管９に流れやすくなり、レシーバ６に溜まるスピードが速くなる。冷媒回路を循環する冷媒を少なくするときに、好適な形態である。
【００４９】
図７（ｂ）に示すように、連結管９は、接続配管８の分岐部Ａの上流側に位置し、連結管９は、接続配管８に対して上流側に向かって延びている。このような上流側に向いた横Ｙ形の接続形態では、図３のように連結管９と接続配管８とを逆Ｔ形に接続した場合に比べて、レシーバ６から接続配管８に冷媒が流れやすくなり、すばやく冷媒を冷媒回路に戻すことができる。冷媒回路を循環する冷媒を多くするときに、好適な形態である。また、レシーバ６からの冷媒は接続配管８の冷媒の流れを阻害せず、冷媒回路を循環する冷媒の圧力変動を抑制できる。なお、図７の（ａ）の接続形態および（ｂ）の接続形態では、冷房運転あるいは暖房運転に応じて、冷媒の流れ方向が変わることにより、接続形態がいずれか一方の形態となる。また、接続配管８を直線状にして、連結管９を接続配管８から斜め上に延びるように接続してもよい。
【００５０】
図７（ｃ）に示すように、連結管９と接続配管８とは逆Ｙ形に接続される。接続配管８が山形に形成され、分岐部Ａが頂上に位置する。連結管９は分岐部Ａから上に向かうように延びている。このような逆Ｙ形の接続形態では、図３のように連結管９と接続配管８とを逆Ｔ形に接続した場合に比べて、冷媒は接続配管８からレシーバ６に流れ込みやすく、かつレシーバ６から接続配管８に冷媒が流れ出やすい。また、冷房運転、暖房運転にかかわらず、冷媒の流れに対する接続形態は変わらない。
【００５１】
なお、レシーバ６の配置として、図８に示すように、室外機１１の熱交換室３１にレシーバ６を設置してもよい。レシーバ６は、支持部材を介して遮蔽板３０に固定される。したがって、レシーバ６は、室外熱交換器１４の圧縮機１側の近傍に位置に位置する。レシーバ６が熱交換室３３に配置されることにより、レシーバ６は熱交換室３３を通り抜ける風にさらされる。レシーバ６に気液二相状態の冷媒が溜まっているとき、ガス冷媒が冷やされて、液冷媒になる。
【００５２】
なお、本発明は、上記実施形態に限定されるものではなく、本発明の範囲内で上記実施形態に多くの修正および変更を加え得ることは勿論である。高圧側絞り装置３と低圧側絞り装置４とが異なるタイプのものを使用してもよい。この場合、各絞り装置３，４の開度と通過する冷媒量との関係は、使用するタイプによって異なる。各絞り装置３，４の開度と通過する冷媒量との関係は、実験等により予め決められ、メモリに記憶されている。制御装置２０は、レシーバ６から冷媒を排出するとき、低圧側絞り装置４を通過する冷媒量が高圧側絞り装置３を通過する冷媒量より多くなるように、各絞り装置３，４の開度を制御する。レシーバ６に冷媒を溜めるとき、高圧側絞り装置３を通過する冷媒量が低圧側絞り装置４を通過する冷媒量より多くなるように、各絞り装置３，４の開度を制御する。
【００５３】
以上の通り、本発明の空気調和機は、圧縮機１、凝縮器２、高圧側絞り装置３、低圧側絞り装置４、蒸発器５を配管により接続して冷媒回路が形成され、冷媒回路に、冷媒を溜めるレシーバ６が設けられ、レシーバ６は１つの出入口７を備え、高圧側絞り装置３と低圧側絞り装置４とをつなぐ接続配管８から分岐した連結管９がレシーバ６の出入口７に接続されたものである。冷媒がレシーバ６に流れ込みにくくなり、勢いよく冷媒がレシーバ６に流入することを防ぐことができ、冷媒がレシーバ６に流れ込んだときに発生する異音を抑制することができる。
【００５４】
前記高圧側絞り装置３および前記低圧側絞り装置４を制御する制御装置２０が設けられ、制御装置２０は、レシーバ６に冷媒を溜めるとき、高圧側絞り装置３を通る冷媒量が低圧側絞り装置４を通る冷媒量よりも多くなるように、高圧側絞り装置３および低圧側絞り装置４を動作させ、レシーバ６に溜まっている冷媒を減らすとき、低圧側絞り装置４を通る冷媒量が高圧側絞り装置３を通る冷媒量よりも多くなるように、高圧側絞り装置３および低圧側絞り装置４を動作させる。高圧側絞り装置３および低圧側絞り装置４の動作により、両絞り装置３，４の間の冷媒量を増減できる。
【００５５】
制御装置２０は、起動時、冷媒回路を循環する冷媒を増やすために、低圧側絞り装置４を通る冷媒量を多くし、高圧側絞り装置３と低圧側絞り装置４との間を液冷媒が通るように、高圧側絞り装置３を動作させる。空調運転の起動時に、冷媒回路を循環する冷媒が増えることにより、空調能力がアップする。接続配管８に液冷媒が流れるので、連結管９が液冷媒で満たされ、ガス冷媒がレシーバ６に流れ込まなくなって、異音が発生しない。
【００５６】
連結管９は接続配管８の上方に位置し、連結管９と接続配管８とがＹ形に接続される。レシーバ６は接続配管８および高圧側および低圧側絞り装置３，４よりも上方に位置することになり、ガス冷媒の混じった冷媒がレシーバ６に流入することをなくすことができ、異音の発生を抑制できる。また、連結管９と接続配管８とが傾斜して接続されることにより、接続配管８から連結管９に、あるいは連結管９から接続配管８に冷媒がスムーズに流れる。
【００５７】
圧縮機１および室外熱交換器１４を内装した室外機１１に、レシーバ６が設けられ、レシーバ６は室外熱交換器１４の圧縮機１側の近傍に固定される。室外熱交換器１４と圧縮機１とを接続する大径の配管３４にレシーバ６を固定することができ、レシーバ６の振動を防止でき、異音の発生を抑制できる。
【符号の説明】
【００５８】
１    圧縮機
２    凝縮器
３    高圧側絞り装置
４    低圧側絞り装置
５    蒸発器
６    レシーバ
７    出入口
８    接続配管
９    連結管
１０    室内機
１１    室外機
１２    四方弁
１３    室内熱交換器
１４    室外熱交換器
１５    第１絞り装置
１６    第２絞り装置
２０    制御装置
２１    凝縮器温度センサ
２２    蒸発器温度センサ
２３    吐出温度センサ
２４    室温センサ
２５    外気温センサ
Ａ    分岐部
【図１】
2014119146.tif 000003
【図２】
2014119146.tif 000004
【図３】
2014119146.tif 000005
【図４】
2014119146.tif 000006
【図５】
2014119146.tif 000007
【図６】
2014119146.tif 000008
【図７】
2014119146.tif 000009
【図８】
2014119146.tif 000010